(57)【要約】【課題】室内温度センサ異常発生時の応急運転における使用者の不快感を低減させる。【解決手段】ステップ２０６で応急運転終了時間を所定時間に設定し、さらに、ステップ２０７で切タイマ設定時間を受信すればステップ２０８で応急運転終了時間を変更し、ステップ２０９で応急運転時間が応急運転終了時間以上となればステップ２１０で応急運転を終了するため、応急運転を自動的に終了することと、リモコンの設定により容易に終了の時間を変更することが可能となるので、冷房応急運転が無制限に継続することによって使用者が不快に感じるまでに室内温度が下がることを防止するとともに、非常に暑さが厳しく空気調和機が停止するとすぐに不快な状態となるような場合に頻繁に応急運転開始の操作を行う煩わしさを低減することができる。【選択図】図２
2006214600.tif 000002
【特許請求の範囲】
【請求項１】
プログラムされたマイコンによって空気調和機を制御する装置であって、室内温度センサの異常を検知する室内温度センサ異常検知手段と、前記室内温度センサ異常検知手段で異常を検知したときに運転を停止する異常停止手段と、前記室内温度センサ異常検知手段で異常を検知したことを表示する室内温度センサ異常表示手段と、前記異常停止手段で運転を停止したときに入力を受け付けて応急運転の開始を判定する応急運転開始判定手段と、前記応急運転開始判定手段で入力を検知して応急運転開始と判定したときに室内温度センサの検出温度を所定温度に置き換える室内温度置換手段と、応急運転を開始してから所定時間が経過したときに応急運転を終了する応急運転終了手段と、リモコンのタイマ設定により応急運転終了時間を変更する応急運転時間変更手段とを備えたことを特徴とする空気調和機制御装置。
【請求項２】
プログラムされたマイコンによって空気調和機を制御する方法であって、室内温度センサの異常を検知する室内温度センサ異常検知手順と、前記室内温度センサ異常検知手順で異常を検知したときに運転を停止する異常停止手順と、前記室内温度センサ異常検知手順で異常を検知したことを表示する室内温度センサ異常表示手順と、前記異常停止手順で運転を停止したときに入力を受け付けて応急運転の開始を判定する応急運転開始判定手順と、前記応急運転開始判定手順で入力を検知して応急運転開始と判定したときに室内温度センサの検出温度を所定温度に置き換える室内温度置換手順と、応急運転を開始してから所定時間が経過したときに応急運転を終了する応急運転終了手順と、リモコンのタイマ設定により応急運転終了時間を変更する応急運転時間変更手順とを含むことを特徴とする空気調和機制御方法。
【請求項３】
マイコンによって空気調和機を制御するためのプログラムを記録した媒体であって、室内温度センサの異常を検知する室内温度センサ異常検知ステップと、前記室内温度センサ異常検知ステップで異常を検知したときに運転を停止する異常停止ステップと、前記室内温度センサ異常検知ステップで異常を検知したことを表示する室内温度センサ異常表示ステップと、前記異常停止ステップで運転を停止したときに入力を受け付けて応急運転の開始を判定する応急運転開始判定ステップと、前記応急運転開始判定ステップで入力を検知して応急運転開始と判定したときに室内温度センサの検出温度を所定温度に置き換える室内温度置換ステップと、応急運転を開始してから所定時間が経過したときに応急運転を終了する応急運転終了ステップと、リモコンのタイマ設定により応急運転終了時間を変更する応急運転時間変更ステップとを有することを特徴とする空気調和機制御プログラムを記録した記録媒体。
【請求項４】
プログラムされたマイコンによって空気調和機を制御する装置であって、室内温度センサの異常を検知する室内温度センサ異常検知手段と、前記室内温度センサ異常検知手段で異常を検知したときに運転を停止する異常停止手段と、前記室内温度センサ異常検知手段で異常を検知したことを表示する室内温度センサ異常表示手段と、前記異常停止手段で運転を停止したときに入力を受け付けて応急運転の開始を判定する応急運転開始判定手段と、前記応急運転開始判定手段で入力を検知して応急運転開始と判定したときに室内温度センサの検出温度を所定温度に置き換える室内温度置換手段と、リモコンの温度設定に応じて応急運転中の圧縮機運転時間と停止時間の比を決定する圧縮機運転時間比率決定手段とを備えたことを特徴とする空気調和機制御装置。
【請求項５】
プログラムされたマイコンによって空気調和機を制御する方法であって、室内温度センサの異常を検知する室内温度センサ異常検知手順と、前記室内温度センサ異常検知手順で異常を検知したときに運転を停止する異常停止手順と、前記室内温度センサ異常検知手順で異常を検知したことを表示する室内温度センサ異常表示手順と、前記異常停止手順で運転
を停止したときに入力を受け付けて応急運転の開始を判定する応急運転開始判定手順と、前記応急運転開始判定手順で入力を検知して応急運転開始と判定したときに室内温度センサの検出温度を所定温度に置き換える室内温度置換手順と、リモコンの温度設定に応じて応急運転中の圧縮機運転時間と停止時間の比を決定する圧縮機運転時間比率決定手順とを含むことを特徴とする空気調和機制御方法。
【請求項６】
マイコンによって空気調和機を制御するためのプログラムを記録した媒体であって、室内温度センサの異常を検知する室内温度センサ異常検知ステップと、前記室内温度センサ異常検知ステップで異常を検知したときに運転を停止する異常停止ステップと、前記室内温度センサ異常検知ステップで異常を検知したことを表示する室内温度センサ異常表示ステップと、前記異常停止ステップで運転を停止したときに入力を受け付けて応急運転の開始を判定する応急運転開始判定ステップと、前記応急運転開始判定ステップで入力を検知して応急運転開始と判定したときに室内温度センサの検出温度を所定温度に置き換える室内温度置換ステップと、リモコンの温度設定に応じて応急運転中の圧縮機運転時間と停止時間の比を決定する圧縮機運転時間比率決定ステップとを有することを特徴とする空気調和機制御プログラムを記録した記録媒体。
【発明の詳細な説明】
【技術分野】
【０００１】
本発明は、プログラムされたマイコンによって空気調和機を制御する装置に関するものである。
【背景技術】
【０００２】
従来、この種の空気調和機の制御装置としては、室内温度センサの異常を検知して運転を停止した後に、応急運転スイッチの入力を受け付けると、室内温度センサの検出温度を所定温度に置き換えて、応急的な運転を可能とするものがあった（例えば、特許文献１参照）。
【０００３】
図４は特許文献１に記載された従来の空気調和機制御装置のマイコンが実行するプログラムのフローチャートを示すものである。図４において、ステップ４０１で室内温度センサの異常を検知すると、ステップ４０２で運転を停止し、ステップ４０３で室内温度センサが異常であることを表示する。その後、ステップ４０４で応急運転スイッチの入力を検知すると、ステップ４０５で室内温度を所定温度に置き換えて応急運転を開始していた。
【特許文献１】特開平５−１８７６８３号公報
【発明の開示】
【発明が解決しようとする課題】
【０００４】
しかしながら、前記従来の構成では、室内温度センサ異常発生時に応急運転を開始すると、使用者が運転を停止しない限り、室内温度の調節が全くできない状態での運転が無制限に継続することとなる。このため、冷房運転中であれば使用者が不快に感じるまでに室内温度が下がることがあった。
【０００５】
本発明は、上記従来の課題を解決するもので、室内温度センサ異常発生時の応急運転における使用者の不快感を低減させた空気調和機制御装置および空気調和機制御方法ならびに空気調和機制御プログラムを記録した記録媒体の提供を目的とする。
【課題を解決するための手段】
【０００６】
前記従来の課題を解決するために、本発明の空気調和機制御装置は、応急運転を開始してから所定時間が経過したときに応急運転を終了する応急運転終了手段と、リモコンのタイマ設定により応急運転終了時間を変更する応急運転時間変更手段とを設けたものであり、上記手段はプログラムされたマイコンにより実現するものである。
【０００７】
また、本発明の空気調和機制御方法は、応急運転を開始してから所定時間が経過したときに応急運転を終了する応急運転終了手順と、リモコンのタイマ設定により応急運転終了時間を変更する応急運転時間変更手順とを設けたものであり、上記手順はプログラムされたマイコンにより実現するものである。
【０００８】
また、本発明の空気調和機制御プログラムを記録した記録媒体は、応急運転を開始してから所定時間が経過したときに応急運転を終了する応急運転終了ステップと、リモコンのタイマ設定により応急運転終了時間を変更する応急運転時間変更ステップとを記録したものであり、上記ステップはプログラムされたマイコンによって実行されるものである。
【０００９】
これによって、使用者が運転を停止しなくても応急運転が自動的に終了し、運転が無制限に継続することを防止することができ、また、使用者の要求に合わせて応急運転が終了
する時間を変更することができる。
【００１０】
また、本発明の空気調和機制御装置は、リモコンの温度設定に応じて応急運転中の圧縮機運転時間と停止時間の比を決定する圧縮機運転時間比率決定手段を設けたものであり、上記手段はプログラムされたマイコンにより実現するものである。
【００１１】
また、本発明の空気調和機制御方法は、リモコンの温度設定に応じて応急運転中の圧縮機運転時間と停止時間の比を決定する圧縮機運転時間比率決定手順を設けたものであり、上記手順はプログラムされたマイコンにより実現するものである。
【００１２】
また、本発明の空気調和機制御プログラムを記録した記録媒体は、リモコンの温度設定に応じて応急運転中の圧縮機運転時間と停止時間の比を決定する圧縮機運転時間比率決定ステップを記録したものであり、上記ステップはプログラムされたマイコンによって実行されるものである。
【００１３】
これによって、使用者の温度設定に合わせて応急運転中の圧縮機運転時間比率を変更することができ、相対的な室内温度の調節ができる。
【発明の効果】
【００１４】
本発明の空気調和機制御装置および空気調和機制御方法ならびに空気調和機制御プログラムを記録した記録媒体は、室内温度センサ異常発生時の応急運転における使用者の不快感を低減させることができる。
【発明を実施するための最良の形態】
【００１５】
第１の発明は、プログラムされたマイコンによって空気調和機を制御する装置であって、室内温度センサの異常を検知する室内温度センサ異常検知手段と、室内温度センサ異常検知手段で異常を検知したときに運転を停止する異常停止手段と、室内温度センサ異常検知手段で異常を検知したことを表示する室内温度センサ異常表示手段と、異常停止手段で運転を停止したときに入力を受け付けて応急運転の開始を判定する応急運転開始判定手段と、応急運転開始判定手段で入力を検知して応急運転開始と判定したときに室内温度センサの検出温度を所定温度に置き換える室内温度置換手段と、応急運転を開始してから所定時間が経過したときに応急運転を終了する応急運転終了手段と、リモコンのタイマ設定により応急運転終了時間を変更する応急運転時間変更手段とを備えたことにより、室内温度センサ異常発生時に、運転を停止して異常表示を行った後に、スイッチ等の入力により室内温度センサの検出温度を所定の温度に置き換えて応急運転を開始するとともに、応急運転開始から所定時間経過後に応急運転を自動的に終了することが可能となり、冷房運転中であれば運転が無制限に継続することによって使用者が不快に感じるまでに室内温度が下がることを防止することができる。また、リモコンの設定により容易に応急運転の終了時間を変更することが可能となり、非常に暑さが厳しく空気調和機が停止するとすぐに不快な状態となるような場合には、頻繁に応急運転開始の操作を行う煩わしさを低減することができる。
【００１６】
第２の発明は、プログラムされたマイコンによって空気調和機を制御する方法であって、室内温度センサの異常を検知する室内温度センサ異常検知手順と、室内温度センサ異常検知手順で異常を検知したときに運転を停止する異常停止手順と、室内温度センサ異常検知手順で異常を検知したことを表示する室内温度センサ異常表示手順と、異常停止手順で運転を停止したときに入力を受け付けて応急運転の開始を判定する応急運転開始判定手順と、応急運転開始判定手順で入力を検知して応急運転開始と判定したときに室内温度センサの検出温度を所定温度に置き換える室内温度置換手順と、応急運転を開始してから所定時間が経過したときに応急運転を終了する応急運転終了手順と、リモコンのタイマ設定に
より応急運転終了時間を変更する応急運転時間変更手順とを含むことにより、室内温度センサ異常発生時に、運転を停止して異常表示を行った後に、スイッチ等の入力により室内温度センサの検出温度を所定の温度に置き換えて応急運転を開始するとともに、応急運転開始から所定時間経過後に応急運転を自動的に終了することが可能となり、冷房運転中であれば運転が無制限に継続することによって使用者が不快に感じるまでに室内温度が下がることを防止することができる。また、リモコンの設定により容易に応急運転の終了時間を変更することが可能となり、非常に暑さが厳しく空気調和機が停止するとすぐに不快な状態となるような場合には、頻繁に応急運転開始の操作を行う煩わしさを低減することができる。
【００１７】
第３の発明は、マイコンによって空気調和機を制御するためのプログラムを記録した媒体であって、室内温度センサの異常を検知する室内温度センサ異常検知ステップと、室内温度センサ異常検知ステップで異常を検知したときに運転を停止する異常停止ステップと、室内温度センサ異常検知ステップで異常を検知したことを表示する室内温度センサ異常表示ステップと、異常停止ステップで運転を停止したときに入力を受け付けて応急運転の開始を判定する応急運転開始判定ステップと、応急運転開始判定ステップで入力を検知して応急運転開始と判定したときに室内温度センサの検出温度を所定温度に置き換える室内温度置換ステップと、応急運転を開始してから所定時間が経過したときに応急運転を終了する応急運転終了ステップと、リモコンのタイマ設定により応急運転終了時間を変更する応急運転時間変更ステップとを有することにより、室内温度センサ異常発生時に、運転を停止して異常表示を行った後に、スイッチ等の入力により室内温度センサの検出温度を所定の温度に置き換えて応急運転を開始するとともに、応急運転開始から所定時間経過後に応急運転を自動的に終了することが可能となり、冷房運転中であれば運転が無制限に継続することによって使用者が不快に感じるまでに室内温度が下がることを防止することができる。また、リモコンの設定により容易に応急運転の終了時間を変更することが可能となり、非常に暑さが厳しく空気調和機が停止するとすぐに不快な状態となるような場合には、頻繁に応急運転開始の操作を行う煩わしさを低減することができる。
【００１８】
第４の発明は、プログラムされたマイコンによって空気調和機を制御する装置であって、室内温度センサの異常を検知する室内温度センサ異常検知手段と、室内温度センサ異常検知手段で異常を検知したときに運転を停止する異常停止手段と、室内温度センサ異常検知手段で異常を検知したことを表示する室内温度センサ異常表示手段と、異常停止手段で運転を停止したときに入力を受け付けて応急運転の開始を判定する応急運転開始判定手段と、応急運転開始判定手段で入力を検知して応急運転開始と判定したときに室内温度センサの検出温度を所定温度に置き換える室内温度置換手段と、リモコンの温度設定に応じて応急運転中の圧縮機運転時間と停止時間の比を決定する圧縮機運転時間比率決定手段とを備えたことにより、室内温度センサ異常発生時に、運転を停止して異常表示を行った後に、スイッチ等の入力により室内温度センサの検出温度を所定の温度に置き換えて応急運転を開始するとともに、リモコンの設定により応急運転中の圧縮機運転時間比率を変更することが可能となり、使用者の温度設定に合わせた相対的な室内温度調節によって応急運転中の快適性を向上させることができる。
【００１９】
第５の発明は、プログラムされたマイコンによって空気調和機を制御する方法であって、室内温度センサの異常を検知する室内温度センサ異常検知手順と、室内温度センサ異常検知手順で異常を検知したときに運転を停止する異常停止手順と、室内温度センサ異常検知手順で異常を検知したことを表示する室内温度センサ異常表示手順と、異常停止手順で運転を停止したときに入力を受け付けて応急運転の開始を判定する応急運転開始判定手順と、応急運転開始判定手順で入力を検知して応急運転開始と判定したときに室内温度センサの検出温度を所定温度に置き換える室内温度置換手順と、リモコンの温度設定に応じて応急運転中の圧縮機運転時間と停止時間の比を決定する圧縮機運転時間比率決定手順とを
含むことにより、室内温度センサ異常発生時に、運転を停止して異常表示を行った後に、スイッチ等の入力により室内温度センサの検出温度を所定の温度に置き換えて応急運転を開始するとともに、リモコンの設定により応急運転中の圧縮機運転時間比率を変更することが可能となり、使用者の温度設定に合わせた相対的な室内温度調節によって応急運転中の快適性を向上させることができる。
【００２０】
第６の発明は、マイコンによって空気調和機を制御するためのプログラムを記録した媒体であって、室内温度センサの異常を検知する室内温度センサ異常検知ステップと、室内温度センサ異常検知ステップで異常を検知したときに運転を停止する異常停止ステップと、室内温度センサ異常検知ステップで異常を検知したことを表示する室内温度センサ異常表示ステップと、異常停止ステップで運転を停止したときに入力を受け付けて応急運転の開始を判定する応急運転開始判定ステップと、応急運転開始判定ステップで入力を検知して応急運転開始と判定したときに室内温度センサの検出温度を所定温度に置き換える室内温度置換ステップと、リモコンの温度設定に応じて応急運転中の圧縮機運転時間と停止時間の比を決定する圧縮機運転時間比率決定ステップとを有することにより、室内温度センサ異常発生時に、運転を停止して異常表示を行った後に、スイッチ等の入力により室内温度センサの検出温度を所定の温度に置き換えて応急運転を開始するとともに、リモコンの設定により応急運転中の圧縮機運転時間比率を変更することが可能となり、使用者の温度設定に合わせた相対的な室内温度調節によって応急運転中の快適性を向上させることができる。
【００２１】
以下、本発明の実施の形態について、図面を参照しながら説明する。なお、本実施の形態によって本発明が限定されるものではない。
【００２２】
（実施の形態１）
図１は、本発明の実施の形態１と２における空気調和機制御装置に共通のハードウェアブロック図、図２は、本発明の実施の形態１におけるマイコンが実行するプログラムのフローチャートである。
【００２３】
図１において１はマイコン、２はマイコンが実行するプログラム、３は室内温度センサ、４は応急運転スイッチ、５はリモコン、６はＬＥＤ表示、７は圧縮機である。
【００２４】
以下、図２のフローチャートに従いプログラム２の動作を説明する。
【００２５】
マイコン１は、まず、ステップ２０１で室内温度センサ３の異常を検知すると、ステップ２０２で運転を停止し、ステップ２０３で室内温度センサが異常であることをＬＥＤ６に表示する。その後、ステップ２０４で応急運転スイッチ４の入力を検知すると、ステップ２０５で室内温度を所定温度（例えば２８℃）に置き換えて応急運転を開始する。このとき、運転モードが冷房であれば、所定温度以下の温度設定（例えば２３℃）のときに圧縮機７を運転する。そして、ステップ２０６で応急運転時間をカウントするためのマイコン１内蔵のタイマをリセットし、応急運転終了時間を所定時間（例えば３０分）に設定する。その後、ステップ２０７でリモコン５から切タイマ設定時間（例えば６０分）を受信すればステップ２０８で応急運転終了時間を受信した時間（例えば６０分）に変更する。そして、ステップ２０９で応急運転時間をカウントするタイマのカウント値が応急運転終了時間に達していなければステップ２０７に戻り、応急運転終了時間以上となればステップ２１０に進み応急運転を終了する。
【００２６】
以上のように、本実施の形態においては、ステップ２０６で応急運転終了時間を所定時間に設定し、ステップ２０９で応急運転時間が応急運転終了時間以上となればステップ２１０で応急運転を終了するため、応急運転開始から所定時間経過後に応急運転を自動的に
終了することが可能となり、冷房運転中であれば運転が無制限に継続することによって使用者が不快に感じるまでに室内温度が下がることを防止することができる。また、ステップ２０７で切タイマ設定時間を受信すればステップ２０８で応急運転終了時間を変更するため、リモコン５の設定により容易に応急運転の終了時間を変更することが可能となり、非常に暑さが厳しく空気調和機が停止するとすぐに不快な状態となるような場合には、頻繁に応急運転開始の操作を行う煩わしさを低減することができる。
【００２７】
なお、本実施の形態においてマイコン１は１つに限定されるものではなく、複数のマイコンが機能を分担して必要な情報を通信し上記プログラムを実行しても良い。また、ステップ２０４で検知する入力を応急運転スイッチ４の入力としているが、リモコン５からの応急運転信号入力でも良い。
【００２８】
また、本実施の形態は第１の発明の実施の形態であるが、第２，３の発明の内容も含まれる。
【００２９】
（実施の形態２）
図３は、本発明の実施の形態２におけるマイコンが実行するプログラムのフローチャートであり、運転モードが冷房の時の動作である。
【００３０】
以下、図３のフローチャートに従い図１に示すプログラム２の動作を説明する。
【００３１】
マイコン１は、まず、ステップ３０１で室内温度センサ３の異常を検知すると、ステップ３０２で運転を停止し、ステップ３０３で室内温度センサが異常であることをＬＥＤ６に表示する。その後、ステップ３０４で応急運転スイッチ４の入力を検知すると、ステップ３０５で室内温度を所定温度（例えば２８℃）に置き換えて応急運転を開始する。そして、ステップ３０６，３０７でリモコン５で設定された温度設定とステップ３０５で室内温度を置換した温度（例えば２８℃）とを比較し、温度設定が高ければ（例えば２９℃以上）ステップ３０８で圧縮機運転時間比率を０に、温度設定が５℃以上低ければ（例えば２３℃以下）ステップ３０９で圧縮機運転時間比率を１に、そうでなければステップ３１０で圧縮機運転時間比率を０．５に決定する。そして、ステップ３１１ではステップ３０８，３０９，３１０で決定した圧縮機運転時間比率が０であれば圧縮機７を常時停止、圧縮機運転時間比率が１であれば圧縮機７を常時運転、圧縮機運転時間比率が０．５であれば圧縮機７を同時間ずつ運転、停止（例えば３分運転、３分停止）させ、ステップ３０６に戻る。
【００３２】
以上のように、本実施の形態においては、ステップ３０６，３０７で温度設定と置換後の室内温度とを比較し、ステップ３０８，３０９，３１０で決定した圧縮機運転時間比率に従ってステップ３１１で圧縮機７を運転、停止するため、リモコン５の設定により応急運転中の圧縮機運転時間比率を変更することが可能となり、使用者の温度設定に合わせた相対的な室内温度調節によって応急運転中の快適性を向上させることができる。
【００３３】
なお、本実施の形態においてマイコン１は１つに限定されるものではなく、複数のマイコンが機能を分担して必要な情報を通信し上記プログラムを実行しても良い。また、ステップ３０４で検知する入力を応急運転スイッチ４の入力としているが、リモコン５からの応急運転信号入力でも良い。また、ステップ３０６，３０７での温度設定と置換後の室内温度の比較判定区分、および、ステップ３０８，３０９，３１０で決定している圧縮機運転時間比率、ステップ３１１における圧縮機運転時間と停止時間は一例であり、本発明を限定するものではない。
【００３４】
また、本実施の形態は第４の発明の実施の形態であるが、第５，６の発明の内容も含ま
れる。
【産業上の利用可能性】
【００３５】
以上のように、本発明にかかる空気調和機制御装置および空気調和機制御方法ならびに空気調和機制御プログラムを記録した記録媒体は、室内温度センサ異常発生時の応急運転における使用者の不快感を低減させることが可能となるので、空気調和運転の制御に必要な物理量を検出する各種センサの機能異常発生時の応急運転等の用途にも適用できる。
【図面の簡単な説明】
【００３６】
【図１】本発明の実施の形態１および２における空気調和機制御装置のハードウェアブロック図
【図２】本発明の実施の形態１における空気調和機制御装置のマイコンが実行するプログラムのフローチャート
【図３】本発明の実施の形態２における空気調和機制御装置のマイコンが実行するプログラムのフローチャート
【図４】従来の空気調和機制御装置のマイコンが実行するプログラムのフローチャート
【符号の説明】
【００３７】
１  マイコン
２  プログラム
３  室内温度センサ
４  応急運転スイッチ
５  リモコン
６  ＬＥＤ表示
７  圧縮機
【図１】
2006214600.tif 000003
【図２】
2006214600.tif 000004
【図３】
2006214600.tif 000005
【図４】
2006214600.tif 000006